(57)【要約】【課題】簡単な機構でありながら使用時には脚部が安定している折り畳み家具を提供する。【解決手段】間隔をおいて平行に配置された一対の棒状枠部材２１と、該棒状枠部材の両端部同士をそれぞれ連結する一対の軸棒５１と、前記一対の棒状枠部材の間の軸棒のそれぞれに回動可能に取り付けられた、前記棒状枠部材の長さの1/2以下の長さを有する一対の脚用棒状部材３１と、該一対の脚用棒状部材の間に掛け渡された連結部材３２とから成る脚部と、前記一対の脚用棒状部材の間の軸棒のそれぞれに、互いに前記軸棒の軸方向の位置をずらして回動可能に取り付けられた、前記脚部に当接させる脚支え棒４１であって、当接した時、前記脚部の前記脚用棒状部材と前記棒状枠部材のなす角が90°よりも小さくなるような長さを有する脚支え棒とを備える折り畳み家具１０は、その脚部が他方の側の脚支え棒により支えられるため、上面に負荷される荷重を安定して支えることができる。【選択図】図１
2015000145.tif 000002
【特許請求の範囲】
【請求項１】
a) 間隔をおいて平行に配置された一対の棒状枠部材と、
b) 該棒状枠部材の両端部同士をそれぞれ連結する一対の軸棒と、
c) 前記一対の棒状枠部材の間の軸棒のそれぞれに回動可能に取り付けられた、前記棒状枠部材の長さの1/2以下の長さを有する一対の脚用棒状部材と、該一対の脚用棒状部材の間に掛け渡された連結部材とから成る脚部と、
d) 前記一対の脚用棒状部材の間の軸棒のそれぞれに、互いに前記軸棒の軸方向の位置をずらして回動可能に取り付けられた、前記脚部に当接させる脚支え棒であって、当接した時、前記脚部の前記脚用棒状部材と前記棒状枠部材のなす角が90°よりも小さくなるような長さを有する脚支え棒と
を備えることを特徴とする折り畳み家具。
【請求項２】
前記一対の脚支え棒の間に、前記棒状枠部材と同じ長さを有し、その両端が前記一対の軸棒に取り付けられた、1本の中間棒状部材を設けることを特徴とする請求項１に記載の折り畳み家具。
【請求項３】
さらに、近接する前記脚用棒状部材と前記脚支え棒の間に、前記棒状枠部材と同じ長さを有し、その両端が前記一対の軸棒に取り付けられた、2本の中間棒状部材を設けることを特徴とする請求項２に記載の折り畳み家具。
【請求項４】
前記棒状枠部材と前記中間棒状部材の間に前記脚用棒状部材と前記脚支え棒を折り畳んだ時、一方の面がフラットになるように、前記連結部材が他方の面側で前記一対の脚用棒状部材を連結していることを特徴とする請求項２又は３に記載の折り畳み家具。
【請求項５】
前記外側棒状部材の高さは、前記脚部の高さ及び前記一対の脚支え棒の高さより大きく、前記折り畳み家具を折り畳んだ時、前記脚部及び前記脚支え棒の高さが前記外側棒状部材の高さを超えないことを特徴とする請求項１〜４のいずれかに記載の折り畳み家具。
【請求項６】
軸棒に取り付けられていない側の前記脚支え棒の先端部分と、前記脚部の、該先端が当接する部分とに、磁気吸引力によって互いに引き合う磁力対が付着されていることを特徴とする請求項１〜５のいずれかに記載の折り畳み家具。
【発明の詳細な説明】
【技術分野】
【０００１】
本発明は、折り畳み可能な椅子や机などの家具に関する。
【背景技術】
【０００２】
従来より、屋外や学校の体育館（講堂）、公民館等において折り畳み可能な椅子や机が使用されている。例えば、特許文献１には、一対のＸ字状の脚部と、これらＸ字状の脚部の上端部同士を連結する一対の横置きの棒状の支持部と、その一対の支持部間に張設された環状のシートとからなる折り畳みベンチが開示されている。この折り畳みベンチは、座面がシートから成るため軽量であり、また、Ｘ字状の脚部を閉じ、更に、この閉じた脚部を棒状の支持部に重なるように折り畳むことができるため、嵩張らない。
【０００３】
また、非特許文献１には、樹脂製の座板と、該座板の両端に下方に回動するように取り付けられた一対のＨ字状の脚部から成るベンチが開示されている。このベンチのＨ字状の脚部のそれぞれには、使用時に脚部が座板と90°以上開かないように、座板から延びる金属製の筋交材（ストッパー）によって固定されている。不使用時にはその筋交材の固定部分を解除してＨ字状の脚部をベンチの内側に折り畳むことができる。非特許文献２には、木製の座板と、該座板の両端に回動可能に取り付けられた一対の逆Ｔ字状の脚部から成るベンチが開示されている。このベンチは、不使用時にはその脚部をベンチの内側又は外側に折り畳むことができる。非特許文献３には、木製の座板と木製の三対のＸ字状の脚部から成るベンチが開示されている。このベンチは、座板が中央で2分割されており、Ｘ字状の脚部を折り畳むと座板も同時に分割され、座板が脚部を挟むように折り畳まれる。
【先行技術文献】
【特許文献】
【０００４】
【特許文献１】特開平7-246132号公報
【非特許文献】
【０００５】
【非特許文献１】"折りたたみ可ベンチ  ＦＢ−１", [online], 楽天, [平成25年5月1日検索], インターネット<URL:http://item.rakuten.co.jp/sunward/mibe-0006/>
【非特許文献２】"折りたたみ可  天然木ベンチ  145 cm  背なし", [online], 楽天, [平成25年5月1日検索], インターネット<URL:http://item.rakuten.co.jp/royal3000/mt-023/>
【非特許文献３】"天然檜折りたたみベンチ", [online], 京築宗市, [平成25年5月1日検索], インターネット<URL:http://keichiku.jp/SHOP/SK-12.html>
【発明の概要】
【発明が解決しようとする課題】
【０００６】
上記従来のベンチはいずれも、脚部が折り畳み可能であることから、使用時に脚部が不用意に折り畳まれないように、脚部の本体への取付部を強固にしておく必要がある。そのため、機構が複雑になったり、重量が大きくなるという問題があった。特に、一般的によく使用されている非特許文献１のベンチは、長期の使用により筋交材が曲がったり、固定部分が損耗したりして、使用中に脚部がぐらつくようになる。このベンチでは、筋交材（ストッパー）のみで座板の長手方向から脚部に加わる力に対抗しているため、筋交材の損耗は安全面で大きな問題である。
【０００７】
本発明が解決しようとする課題は、コンパクトに折り畳むことができる一方、簡単な機構でありながら使用時には脚部が安定している折り畳み家具を提供することである。
【課題を解決するための手段】
【０００８】
上記課題を解決するために成された本発明に係る折り畳み家具は、
a) 間隔をおいて平行に配置された一対の棒状枠部材と、
b) 該棒状枠部材の両端部同士をそれぞれ連結する一対の軸棒と、
c) 前記一対の棒状枠部材の間の軸棒のそれぞれに回動可能に取り付けられた、前記棒状枠部材の長さの1/2以下の長さを有する一対の脚用棒状部材と、該一対の脚用棒状部材の間に掛け渡された連結部材とから成る脚部と、
d) 前記一対の脚用棒状部材の間の軸棒のそれぞれに、互いに前記軸棒の軸方向の位置をずらして回動可能に取り付けられた、前記脚部に当接させる脚支え棒であって、当接した時、前記脚部の前記脚用棒状部材と前記棒状枠部材のなす角が90°よりも小さくなるような長さを有する脚支え棒と
を備えることを特徴とする。
【０００９】
本発明に係る折り畳み家具は、不使用時には、両側の軸棒に取り付けられた脚用棒状部材及び脚支え棒が全て、一対の棒状枠部材の間に、該棒状枠部材と平行に並んだ状態に折り畳まれ、それら全体がほぼ一つの面（これを「上面」と呼ぶ）内にコンパクトに収納される。
そして使用時には、先ず、一方の軸棒に取り付けられている脚部を回動させて上面から下方に引き出し、次に、他方の軸棒に取り付けられている脚支え棒を上面から下方に引き出して、前記一方の棒軸に取り付けられている脚部に当接させる。当接させる箇所は、脚部の連結部材であってもよいし、脚用棒状部材であってもよい。このとき、脚部の脚用棒状部材と棒状枠部材が成す角度は90°よりも小さい角度となる。前記他方の軸棒に取り付けられた脚部と前記一方の軸棒に取り付けられた脚支え棒についても同様にする。こうして、本発明に係る折り畳み家具の脚部は他方の側の脚支え棒により支えられるため、特別な補強機構を設けることなく、上面に負荷される荷重を安定して支えることができる。
上面の一対の棒状枠部材の間には、例えば、該家具の使用に適した板状部材を載置したり、又は該一対の棒状枠部材の間にシート状部材を張設したりして、家具の上面部（例えば、イスならば座面、テーブルならば天面、ベッドならば床板）を形成することにより、家具として使用することができる。
【００１０】
前記一対の脚支え棒の間に、前記棒状枠部材と同じ長さを有し、その両端が前記一対の軸棒に取り付けられた、1本の中間棒状部材を設けることが望ましく、さらに、近接する前記脚用棒状部材と前記脚支え棒の間に2本の中間棒状部材を設けることが望ましい。
【００１１】
この構成により、一対の軸棒に両端が取り付けられた一対の棒状枠部材とその間の中間棒状部材によって家具の上面部が構成される。これにより、コンパクトさを損なうことなく、また、他の部材を使用することなく、堅固な上面部を形成することができる。
【００１２】
一対の脚支え棒の間に中間棒状部材を設けた場合には、前記棒状枠部材と前記中間棒状部材の間に前記脚用棒状部材と前記脚支え棒を折り畳んだ時、一方の面がフラットになるように、前記連結部材が他方の面側で前記一対の脚用棒状部材を連結していることが望ましい。
【００１３】
この構成により、家具を使用しない時は、一対の脚用棒状部材及び一対の脚支え棒を、軸棒を軸にして回動させ折り畳み、近接する棒状枠部材と中間棒状部材の間、又は近接する中間棒状部材の間に収めることができる。そのため、家具を、一対の脚用棒状部材の間にほぼ隙間無くコンパクトに折り畳むことが可能となる。
【発明の効果】
【００１４】
本発明に係る折り畳み家具は、使用時には、脚部の脚用棒状部材と棒状枠部材の成す角度が90°より小さい角度となるように、脚支え棒が脚部に当接するという簡単な機構で脚部を安定させることができる。折り畳むと、一対の棒状枠部材の間の大きさにまでコンパクトになり、またほぼフラットな形状となるため運搬や積み重ね保管が容易となる。
【図面の簡単な説明】
【００１５】
【図１】本発明に係る折り畳み家具の一実施例であるベンチを設置した状態を上面側から見た斜視図。
【図２】同実施例のベンチを折り畳んだ状態の(a)上面概略図、(b)正面概略図、(c)側面概略図、及び(d)底面概略図。
【図３】同実施例のベンチを組み立てた時の正面概略図であり、(a)は各部材の寸法や角度を示す図であり、(b)は該ベンチに人が座った時にかかる力を矢印で示す図である。
【発明を実施するための形態】
【００１６】
本実施例に係る折り畳み家具の一実施例である折り畳みベンチ１０について、図１〜３を参照して説明する。
【００１７】
本実施例の折り畳みベンチ１０は、座面部と、一対の脚部と、これら一対の脚部を支える一対の脚支え部からなる。これら座面部、一対の脚部、一対の脚支え部は、いずれも木製（例えば檜製）の棒状部材を基本要素とし、この棒状部材を2本又は7本連結することにより構成されている。本実施例では、座面部の左右方向の長さが約1800mm、前後方向の長さが約315mm、ベンチ１０の設置時における高さが約380mmとなるように各部の寸法が設定されている（図３（ａ）参照）が、ベンチ１０の寸法はこれに限定されない。
【００１８】
座面部は、座面部の前後両端に位置する2本の棒状枠部材２１と、棒状枠部材２１の間に位置する5本の中間棒状部材２２と、棒状枠部材２１と中間棒状部材２２を連結する一対の固定具とから構成されている。棒状枠部材２１と中間棒状部材２２は左右方向の長さ及び前後方向の長さ（幅）が同じに設定されている。一方、棒状枠部材２１の上下方向の長さ（高さ）は中間棒状部材２２よりも大きく設定されている。
【００１９】
2本の棒状枠部材２１と5本の中間棒状部材２２は所定の間隔をおいて平行に並んでおり、両部材２１、２２の両端部にはそれぞれ貫通孔が形成されている。両部材２１、２２の貫通孔には、両端にネジ山（雄ネジ）が切られた鉄棒５１（図２(a)の点線部分）が挿通されている。鉄棒５１のうち棒状枠部材２１の外側に突出する部分にはワッシャー５３が挿入され、ネジ山に六角袋ナット５２が螺合されている。以上により、2本の棒状枠部材２１と5本の中間棒状部材２２が連結されており、1本の鉄棒５１と2個の六角袋ナット５２と2個のワッシャー５３とから固定部が構成される。
【００２０】
一対の脚部は、座面部の左右両端部にそれぞれ一対ずつ、回動可能に取り付けられた脚用棒状部材３１と、各対の脚用棒状部材３１の自由端の間に掛け渡された連結部材３２と、各対の脚用棒状部材３１の途中部に斜めに掛け渡された脚部補強部材３３から構成されている。脚用棒状部材３１の幅及び高さは中間棒状部材２２と同じであるが、左右方向の長さは中間棒状部材２２の約４分の１程度の長さに設定されている。
【００２１】
一対の脚支え部は、座面部の左右両端部のうち脚用棒状部材３１の間に一対ずつ回動可能に取り付けられた脚支え棒４１と、各対の脚支え棒４１の途中部に掛け渡された支え連結部材４２とから構成されている。脚支え棒４１の幅及び高さは中間棒状部材２２と同じであるが、左右方向の長さが中間棒状部材２２よりもやや短くなっている。脚支え部では、脚支え棒４１が基本要素の棒状部材となる。
【００２２】
脚部及び脚支え部を構成する棒状部材の端部には貫通孔が形成されている。脚部及び脚支え部を構成する棒状部材の端部を、座面部の両端部における7本の棒状部材の間に配置し、全ての棒状部材の貫通孔を貫くように鉄棒５１が挿通されていることにより、脚部及び脚支え部が座面部の両端に回動可能に取り付けられている。具体的には、左側の脚部の脚用棒状部材３１の端部は、座面部の左端部において棒状枠部材２１と中間棒状部材２２の間の鉄棒５１に挿通されている。また、右側の脚部の脚用棒状部材３１は、座面部の右端部において棒状枠部材２１と中間棒状部材２２の間の鉄棒５１に挿通されている。
【００２３】
左側の脚支え部の一対の脚支え棒４１の端部は、座面部の左端部において前から2つ目と3つ目の中間棒状部材２２の間、前から4つ目と5つ目の中間棒状部材２２の間の鉄棒５１に挿通されている。また、右側の脚支え部の一対の脚支え棒４１の端部は、座面部の右端部において前から1つ目と2つ目の中間棒状部材２２の間、及び前から3つ目と4つ目の中間棒状部材２２の間の鉄棒５１にそれぞれ挿通されている。つまり、左側の脚支え棒４１と右側の脚支え棒４１は互いに位置をずらして、それぞれ、左側の鉄棒５１と右側の鉄棒５１に回動可能に取り付けられている。なお、座面部の左端部における前から1つ目と2つ目、及び前から3つ目と4つ目の中間棒状部材２２の間にはそれぞれスペーサとしての基部棒状部材４４が配置されている。また、座面部の右端部における前から2つ目と3つ目、前から4つ目と5つ目の間には、スペーサとしての基部棒状部材４４が配置されている。左側の2個の基部棒状部材４４と一対の脚支え棒４１、及び右側の2個の基部棒状部材４４と一対の脚支え棒４１は、それぞれ基部連結部材４３で連結されており、左右各対の脚支え棒を回動させたとき基部棒状部材４４も一緒に回動するように構成されている。
【００２４】
以上の構成により、図２に示すように、ベンチ１０を折り畳んだとき、脚部及び脚支え部を構成する棒状部材は、座面部の棒状部材の間にほぼ隙間なく入り込み、それら全体がほぼ一つの面（これを「上面」と呼ぶ）内にコンパクトに収納される。また、棒状枠部材２１の高さは、ベンチ１０を折り畳んだときに脚用棒状部材３１の連結部材３２や脚部補強部材３３が該棒状枠部材２１の外側に出っ張らない程度の大きさに設定されている（図２(b)）。このため、家具を積み上げて保管したり、横に立てて保管したりし易く、嵩張らない。また、運搬の際は、ほとんど隙間が無くコンパクトに折り畳まれたベンチ１０の、脚用棒状部材３１の列の中央部分にできる隙間（空間）Ａ（図２(a)、(d)参照）に指を入れて棒状枠部材２１を片手で掴むことで、容易に運搬することができる。
【００２５】
本実施例のベンチ１０を組み立てるには、先ず、両端部の鉄棒５１にそれぞれ取り付けられている左右一対の脚部の脚用棒状部材４１を、鉄棒５１を軸に回動させ上面から下方に引き出し、次に、同じく両端部の鉄棒５１に取り付けられている左右一対の脚支え部の脚支え棒３１を上面から下方に引き出す。そして、左の鉄棒５１に取り付けられている脚支え棒３１を右の鉄棒５１に取り付けられている脚部の連結部材３２に当接させる。同様に、右の鉄棒５１に取り付けられている脚支え棒３１を左の鉄棒５１に取り付けられている脚部の連結部材３２に当接させると、ベンチ１０が組み立てられる。なお、脚用棒状部材４１の自由端及び脚支え棒３１の自由端は斜めにカットされており、ベンチ１０に組み立てたときに安定するように、脚用棒状部材４１及び脚支え棒３１の自由端がベンチ１０の接地面に面接触するように構成されている。
本実施例の折り畳みベンチ１０では、左右の脚支え棒４１の自由端と、該自由端が当接する左右の連結部材３２の当接部位とには、互いに引き合う磁石が貼り付けられている。この構成によって、組立時に脚支え棒４１を連結部材３２の定位置に導くことができるため、組み立て作業が容易になる。
【００２６】
本実施例のベンチ１０は、図３(a)に示すように、左右の脚部の脚用棒状部材３１が、それぞれ、右左の脚支え部の脚支え棒４１によって支えられ、このとき、脚用棒状部材３１と上面部の間の角度が約70°となるように連結部材３２の位置や脚支え棒４１の長さが設定されている。このため、ベンチ１０に人が座った時にベンチ１０の上面部を下向きに押す力Ｆ１は、左右の脚用棒状部材３１を矢印Ｂ１方向ではなく、矢印Ｂ２方向に回動させる力として作用する。したがって、脚用棒状部材３１の矢印Ｂ１方向への回動を防止するストッパー等を設けなくても良い。また、左右の脚支え棒４１が連結部材３２に当接していることにより脚用棒状部材３１の矢印Ｂ２方向の回動が阻止されるため、脚用棒状部材３１と上面部の間の角度が約70°の状態に維持される。このように、本実施例のベンチ１０は、類似した棒状部材を用いて組み上げる簡単な構成であるが、脚用棒状部材３１の角度を保持するために、金具等の金属製の機構を用いるのではなく、他の棒状部材と同じ材質（本実施例では木製）の左右の脚支え棒４１を用いていており、しかも、その左右の脚支え棒４１の軸方向にかかる力（圧縮力）を利用して脚用棒状部材３１の角度を保持しているため、金具等で生じるような経年使用による破損や摩耗、不具合による影響を受けず安定してベンチの形状を保持することができる。また、座板の長手方向から脚用棒状部材３１に外力が掛かった場合も、脚支え棒４１を筋交方向（斜め方向）から支えている脚用棒状部材３１が、その外力に抵抗することが可能なため、従来のベンチより安定する。本実施例のベンチ１０では、圧縮強度の強い木製であるため、斜め方向からの圧縮に対してさらに強い構造となっている。また、ベンチ１０の座面部を構成する棒状部材を間隔を置いて配置し、ベンチ１０に座ったときに各棒状部材を撓り易くしたため、座り心地の良いものとなる。
【００２７】
以上、本発明を実施するための形態について具体例を挙げて説明を行ったが、本発明は上記実施例に限定されるものではなく、本発明の趣旨の範囲で適宜変更が許容される。
【００２８】
例えば、棒状部材は、家具の種類や使用の状態、設置場所に応じて適宜本数を増減させることができる。例えば、左右の脚支え棒４１は、少なくとも1本ずつあればよい。また、脚部の連結部材３２の取り付け位置は、一対の脚用棒状部材３１を連結し、脚支え棒４１を係止することができれば、脚用棒状部材３１の自由端の先端部分に限定されることはなく、例えば、一対の脚用棒状部材３１の中間辺りであってもよい。
同様に、折り畳み家具の脚や支えを補強及び／又は安定させるための部材や、固定軸の周りを回動する複数の部材を連動して回動させるための部材（例えば、上記実施例の、左右の支え連結部材４２、支え基部連結部材４３、脚部補強部材３３）も、家具の種類や使用の状態、設置場所に応じて適宜本数を増減させたり、配置や連結位置を変更することが望ましい。
【００２９】
一対の脚支え棒４１の自由端の先端部分と、脚部の連結部材３２の当接位置とに貼り付けられた磁石は、支え棒を家具の脚部の定位置に導く程度の強さの磁気吸引力を有する磁力対であれば特に限定されず、一方が磁石で他方が磁性体であってもよい。また、これらの部材の中に埋め込まれていても良い。
さらに、脚支え棒を当接させる脚部の当接箇所は、脚部の連結部材に限定されることもなく、脚用棒状部材とすることも可能である。
【００３０】
さらに、上記実施例においては、棒状部材は全て木（檜）から成るが、これに限定されず、一般的な家具に用いられる材料（例えば、杉や樫などの天然木材、再生木材、ポリエチレン、再生ポリエチレン、再生ＡＢＳ、再生ＰＥＴなど）で作製することができる。
【００３１】
上記実施例ではベンチ１０を折り畳んだときに上面がフラットに成るようにしたが、ベンチ１０を組み立てたときに上面がフラットになるように、脚部や脚支え部の棒状部材の上面の左右両端部を斜めに加工しても良い。
【００３２】
本発明の折り畳み家具は、基本的な構造が上面部と脚部から成る家具であれば応用することが可能であり、応用できる家具として、例えば、椅子やベッド、テーブル、棚などが挙げられる。
また、上面部は、一対の棒状枠部材２１と中間棒状部材２２で形成される形態に限定されない。例えば、中間棒状部材２２をなくし、一対の棒状枠部材２１の上に板状部材を載置したり、該一対の棒状枠部材２１の間にシート状部材を張設したりして上面部としても良い。
【符号の説明】
【００３３】
１０…ベンチ
２１…棒状枠部材
２２…中間棒状部材
３１…脚用棒状部材
３２…連結部材
３３…脚部補強部材
４１…脚支え棒
４２…支え連結部材
４３…支え基部連結部材
４４…基部棒状部材
５１…鉄棒
５２…六角袋ナット
５３…ワッシャー
Ａ…空間
【図１】
2015000145.tif 000003
【図２】
2015000145.tif 000004
【図３】
2015000145.tif 000005